(57)【要約】【課題】  大きさや形状の異なるライターを容易に且つ抜け出さないように収納することができる吸い殻入れ付ライター収納ケースを実現する。【解決手段】  断面四角形の有底筒状体の上部および一側部に開口部５，６を有し、かつ上部の開口部１３を開閉する蓋体１１を備えた外ケース２と、上部を開口し、内部にライター３を挿脱可能に収納する内ケース４とからなり、この内ケース４が、前記外ケース２に、この外ケース２の側部の開口部６から引出し可能でかつ抜け止めされて収容され、前記外ケース２から前記内ケース４を引き出すことにより、前記外ケース２と前記内ケース４の外ケース２側の側壁とで形成される空間を吸い殻入れ部２０とした吸い殻入れ付ライター収納ケース１であって、前記内ケース４の側壁に、弾性変形可能な素材で形成され、前記内ケース４内に収納されたライターに弾発的に圧接する保持部材２６を設けた。【選択図】    図２
2007024383.tif 000002
【特許請求の範囲】
【請求項１】
断面四角形の有底筒状体の上部および一側部に開口部を有し、かつ上部の開口部を開閉する蓋体を備えた外ケースと、上部を開口し、内部にライターを挿脱可能に収納する内ケースとからなり、この内ケースが、前記外ケースに、この外ケースの側部の開口部から引出し可能でかつ抜け止めされて収容され、前記外ケースから前記内ケースを引き出すことにより、前記外ケースと前記内ケースの外ケース側の側壁とで形成される空間を吸い殻入れ部とした吸い殻入れ付ライター収納ケースであって、前記内ケースの側壁に、弾性変形可能な素材で形成され、前記内ケース内に収納されたライターに弾発的に圧接する保持部材を設けたことを特徴とする吸い殻入れ付ライター収納ケース。
【請求項２】
前記内ケースの内部は、この内ケースに収納しようとするライターのうちの最も大きいライターを収納できる大きさに形成され、前記保持部材は、前記内ケースに収納しようとするライターのうちの最も小さいライターを収容したとき、このライターにも弾発的に圧接するように前記内ケースの内部へ突出して設けられていることを特徴とする請求項１に記載の吸い殻入れ付ライター収納ケース。
【発明の詳細な説明】
【技術分野】
【０００１】
本発明は、ライターを収納することができる上に、吸い殻を入れることもできる吸い殻入れ付ライター収納ケースに関するものである。
【背景技術】
【０００２】
街の中や公園、野山などでタバコを吸う場合、吸い殻入れが近くにないことが多い。吸い殻入れが近くにない場合、喫煙者は、タバコを吸い終わった後、その吸い殻をそのまま投げ捨てざるを得ず、投げ捨てられた吸い殻により、街の美観が損なわれたり、火災が発生したりするおそれがある。
【０００３】
吸い殻の投げ捨てを防止するためのものとして、携帯用の吸い殻入れがあるが、いちいちこれを持ち歩くことが面倒に感じる喫煙者も多く、また面倒に感じなくても持ち歩くのを忘れることもある。そこで、吸い殻の投げ捨てをより効果的に防止するため、吸い殻入れ兼外装用のケースにライターを引出可能でかつ抜け止めされた状態で格納し、前記ライターを引き出すことによって前記ケースに形成した空間に吸い殻を入れるようになっている吸い殻入れ付ライター収納ケースが提案されている（たとえば、特許文献１）。この吸い殻入れ付ライター収納ケースは、ライターのケースとしてだけではなく、吸い殻入れとしても利用することができ、ライターを持ち歩くのと同じ感覚で持ち歩くことができるので携帯しやすく、吸い殻の投げ捨てを減らすことに役立つという効果が期待される。
【特許文献１】特公平５−７３９７０号公報
【発明の開示】
【発明が解決しようとする課題】
【０００４】
ところで、前記特許文献１に記載の吸い殻入れ付ライター収納ケースでは、ケースに収納したライターが抜け落ちないように、ケースの内部がライターを密に収納する大きさに形成されている。
【０００５】
このため、前記特許文献１に記載の吸い殻入れ付ライター収納ケースでは、特定の大きさ形状のライターでなければ収納することができないものとなっている。しかし、ライター市場では、大きさや形の異なるライターが多く出回っており、使用者にしてみれば、大きさや形状が異なるライターであっても、これを抜け落ちないように収納することができるようになっていれば便利である。
【０００６】
この発明は、前記のような事情に鑑みてなされたもので、その解決しようとする課題は、大きさや形状の異なるライターを容易に且つ抜け出さないように収納することができる吸い殻入れ付ライター収納ケースを実現することである。
【課題を解決するための手段】
【０００７】
この発明は、前記課題を解決するためになされたもので、請求項１に記載の発明は、断面四角形の有底筒状体の上部および一側部に開口部を有し、かつ上部の開口部を開閉する蓋体を備えた外ケースと、上部を開口し、内部にライターを挿脱可能に収納する内ケースとからなり、この内ケースが、前記外ケースに、この外ケースの側部の開口部から引出し可能でかつ抜け止めされて収容され、前記外ケースから前記内ケースを引き出すことにより、前記外ケースと前記内ケースの外ケース側の側壁とで形成される空間を吸い殻入れ部とした吸い殻入れ付ライター収納ケースであって、前記内ケースの側壁に、弾性変形可能な素材で形成され、前記内ケース内に収納されたライターに弾発的に圧接する保持部材を設けたことを特徴とする。
【０００８】
このように構成することにより、内ケース内に終納されたライターに、内ケースの側壁に設けた保持部材が弾発的に圧接し、これによって前記ライターが内ケース内に保持される。そして、前記内ケース内で保持部材により保持されるライターは、前記保持部材の弾性変形する範囲内であれば、大きさや形状が異なっていても、弾性変形する保持部材が弾発的に圧接し確実に保持される。
【０００９】
請求項２に記載の発明は、請求項１に記載の、前記内ケースの内部は、この内ケースに収納しようとするライターのうちの最も大きいライターを収納できる大きさに形成され、前記保持部材は、前記内ケースに収納しようとするライターのうちの最も小さいライターを収容したとき、このライターにも弾発的に圧接するように前記内ケースの内部へ突出して設けられていることを特徴とする。
【００１０】
このように構成することにより、内ケース内にライターを挿入すると、ライターは、内ケースの内部へ突出して設けられている保持部材を弾発力に抗して押し広げながら挿入され、内ケース内に収納される。内ケース内に収納されたライターに、前記押し広げられた保持部材が、その復元力により弾発的に圧接し、これによって前記ライターが内ケース内に保持される。そして、前記内ケース内で保持部材により保持されるライターは、前記保持部材の弾性変形する範囲内であれば、大きさや形状が異なっていても、弾性変形する保持部材が弾発的に圧接し確実に保持される。
【発明の効果】
【００１１】
この発明にかかる吸い殻入れ付ライター収納ケースによれば、ライターを収納する内ケースに、大きさや形状が異なるライターであっても、これを抜け落ちないように収納することができ、便利である。
【発明を実施するための最良の形態】
【００１２】
以下、この発明に係る吸い殻入れ付ライター収納ケースを実施するための最良の形態について図面を参照して詳細に説明する。
【００１３】
図１乃至図７は、この発明の実施の形態の第１例を示すものであり、図１は、本例の吸い殻入れ付ライター収納ケースを示す斜視図、図２は、図１に示す吸い殻入れ付ライター収納ケースから内ケースを引き出した状態を示す斜視図、図３は、内ケースにライターを収納していないときの図２におけるＡ−Ａ線断面図、図４は、内ケースにライターを収納したときの図２におけるＡ−Ａ線断面図（ライターは一点鎖線で示されている）、図５は、内ケースにライターを収納していないときの図２におけるＢ−Ｂ線断面図、図６は、ライターを収納しているときの図２におけるＢ−Ｂ線断面図（ライターは一点鎖線で示されている）、図７は、図１に示す吸い殻入れ付ライター収納ケースから内ケースを引き出した状態で蓋体を閉じたときの状態を示す斜視図である。
【００１４】
本例の吸い殻入れ付ライター収納ケース１は、外ケース２と、ライター３を挿脱可能に収納する内ケース４とで構成されている。前記外ケース２と内ケース４にあっては、本例ではいずれも合成樹脂製となっている。
【００１５】
前記外ケース２にあっては、断面四角形の有底筒状体からなり、その上部および一側部に、それぞれ上部開口部５および側部開口部６を有している。
【００１６】
即ち、外ケース２は、前記側部開口部６を挟んで対向する左側壁７、右側壁８と、前記側部開口部６と対向し、前記側部開口部６を前側としたとき後側となる後側壁９と、底板１０とから構成されている。このように構成される外ケース２は、上部開口部５を開閉する蓋体１１を備えており、この蓋体１１はヒンジ１２を介して前記後側壁９に取り付けられている。
【００１７】
前記内ケース４にあっては、前記外ケース２と相似形でこれよりも小さく、上部に開口部１３を有する有底の略筒状体からなり、前記外ケース２内に、前記側部開口部６から引出し可能でかつ抜け止めされて収容されている。
【００１８】
更に詳細には、前記内ケース４は、前記外ケース２からの引出方向と直交し前記外ケース２の後側壁９と平行に対向する前側壁１４、後側壁１５と、前記外ケース２の左側壁７、右側壁８と平行に対向する左側壁１６、右側壁１７と、外ケース２の底板１０と平行に対向する底板１８とから構成されている。
【００１９】
そして、内ケース４を外ケース２に収容した状態で、内ケース４の前側壁１４が前記外ケース２の側部開口部６を閉じ且つ外ケース２の前側壁１９を構成する（図１参照）。また、内ケース４を外ケース２から引き出した状態で、内ケース４の後側壁１５が前記外ケース２の側部開口部６を閉じ且つ外ケース２の前側壁１９を構成するとともに、外ケース２の左側壁７、右側壁８、後側壁９、底板１０と、前記内ケース４の後側壁１５とで形成される外ケース２の側部開口部６側の間で吸い殻入れ部２０を構成している（図２参照）。
【００２０】
そして、内ケース４を外ケース２に収容した状態および内ケース４を外ケース２から引き出した状態のいずれのときも、前記外ケース２に備えた蓋体１１により、外ケース２の上部開口部５を閉じることができるように構成されている。
【００２１】
また、外ケース２と内ケース４には、外ケース２から内ケース４を引き出したときの抜け止め手段が講じられている。本例では、外ケース２の左側壁７と右側壁８の側部開口部６側の端縁に内向きの係止部２１が設けられ、また、前記内ケース４の後側壁１５の両側縁に係止段部２２が設けられており、内ケース４を外ケース２から引き出したとき、係止段部２２が係止部２１の内側に係止し、外ケース２から内ケース４が抜け出るのを防止している。
【００２２】
また、外ケース２と内ケース４には、外ケース２からの内ケース４の引き出しや外ケース２への内ケース４の収容を容易にするためのガイド手段が講じられている。本例では、外ケース２の左側壁７と右側壁８の内面にガイド溝２３が設けられ、内ケース４の左側壁１６と右側壁１７の外面にガイド突状部２４が設けられており、前記外ケース２のガイド溝２３に内ケース４のガイド突状部２４が摺動自在に嵌合している。
【００２３】
更に、前記内ケース４にあっては、ライター３を挿脱可能に収納するようになっており、内部が前記ライター３を挿脱可能に収納するライター収納空間部２５となっている。このライター収納空間部２５は、このライター収納空間部２５に収納しようとするライター３のうちで最大のものを収納できる大きさに形成されている。
【００２４】
そして、左側壁１６と右側壁１７に、弾性変形可能な素材で形成され、前記ライター収納空間部２５に収納されたライター３に弾発的に圧接する保持部材２６を設けている。前記保持部材２６は、前記ライター収納空間部２５に収納しようとするライター３のうちの最も小さいライター３を収容したとき、このライター３にも弾発的に圧接するように前記内ケース４の内部、即ちライター収納空間部２５の内部へ突出して設けられている。
【００２５】
本例では、前記保持部材２６が一対の第１保持片２７と一対の第２保持片２８から構成されている。更に詳細には、本例では、前記左側壁１６と右側壁１７は、開口部１３から内ケース４の高さの略１／３の長さに形成され、この左側壁１６と右側壁１７のそれぞれの下端から前記第１保持片２７がそれぞれ内側に向かって所定の角度を持って突出するように延設されている。また、前側壁１４と後側壁１５の対角線上の側端から前記第２保持片２８がそれぞれ内側に向かって所定の角度を持って突出するように延設されている
前記一対の第１保持片２７の先端の間隔と、一対の第２保持片２８の先端の間隔は、ライター収納空間部２５に収納しようとするライター３のうちの最も小さいライター３の厚さより狭い間隔に設定されている。
【００２６】
従って、内ケース４のライター収納空間部２５にライター３を挿入すると、ライター３は前記保持部材２６を構成する一対の第１保持片２７と一対の第２保持片２８とをそれぞれ弾発力に抗するように押し広げながらライター収納空間部２５に収納され、収納されたライター３に、前記押し広げられた一対の第１保持片２７と一対の第２保持片２８が、その復元力により弾発的に圧接し、これによって前記ライター３が内ケース４内に保持されることになる。そして、前記内ケース４内で保持部材２６により保持されるライター３は、前記保持部材２６を構成する一対の第１保持片２７と一対の第２保持片２８の弾性変形する範囲内であれば、大きさや形状が異なっていても、弾性変形する一対の第１保持片２７と一対の第２保持片２８が弾発的に圧接し確実に保持される。
【００２７】
図８乃至図１０は、この発明の実施の形態の第２例を示すものであり、図８は、内ケースを引き出した状態の吸い殻入れ付ライター収納ケースを示す斜視図、図９は、内ケースにライターを収納していないときの図８におけるＣ−Ｃ線断面図、図１０は、内ケースにライターを収納したときの図８におけるＣ−Ｃ線断面図（ライターは一点鎖線で示されている）である。
【００２８】
本例の吸い殻入れ付ライター収納ケース３０について、前記第１例と同一の構成については同一の符号を付してその説明を省略し、第１例と異なる構成についてのみ説明する。
【００２９】
本例の吸い殻入れ付ライター収納ケース３０は、内ケース４の左側壁１６と右側壁１７には、第１例と同様に、弾性変形可能な素材で形成され、前記ライター収納空間部２５に収納されたライター３に弾発的に圧接する保持部材２６を設けている。前記保持部材２６は、前記ライター収納空間部２５に収納しようとするライター３のうちの最も小さいライター３を収容したとき、このライター３にも弾発的に圧接するように前記内ケース４の内部、即ちライター収納空間部２５の内部へ突出して設けられている。
【００３０】
本例では、前記保持部材２６が一対の保持突起部３１で構成されている。更に詳細には、本例では、前記左側壁１６と右側壁１７の上下方向略中間位置で且つ対向する位置に、それぞれ上下方向に２条の切り込みを入れ、２条の切り込みの間の部分を前記ライター収納空間部２５内へ弾性変形可能にアーチ状に突出させることにより前記一対の保持突起部３１を形成している。前記一対の保持突起部３１の先端の間隔は、ライター収納空間部２５に収納しようとするライター３のうちの最も小さいライター３の厚さより狭い間隔に設定されている。
【００３１】
従って、内ケース４のライター収納空間部２５にライター３を挿入すると、ライター３は前記保持部材２６を構成する一対の保持突起部３１を弾発力に抗するように押し潰しながらライター収納空間部２５に収納され、収納されたライター３に、前記押し潰された一対の保持突起部３１が、その復元力により弾発的に圧接し、これによって前記ライター３が内ケース４内に保持されることになる。そして、前記内ケース４内で保持部材２６により保持されるライター３は、前記保持部材２６を構成する一対の保持突起部３１の弾性変形する範囲内であれば、大きさや形状が異なっていても、弾性変形する一対の保持突起部が弾発的に圧接し確実に保持される。
【図面の簡単な説明】
【００３２】
【図１】この発明に係る殻入れ付ライター収納ケースの実施の形態の第１例を示す斜視図である。
【図２】図１に示す吸い殻入れ付ライター収納ケースから内ケースを引き出した状態を示す斜視図である。
【図３】内ケースにライターを収納していないときの図２におけるＡ−Ａ線断面図である。
【図４】内ケースにライターを収納したときの図２におけるＡ−Ａ線断面図である。
【図５】内ケースにライターを収納していないときの図２におけるＢ−Ｂ線断面図である。
【図６】ライターを収納しているときの図２におけるＢ−Ｂ線断面図である。
【図７】図１に示す吸い殻入れ付ライター収納ケースから内ケースを引き出した状態で蓋体を閉じたときの状態を示す斜視図である。
【図８】この発明に係る殻入れ付ライター収納ケースの実施の形態の第２例を示し、内ケースを引き出した状態の吸い殻入れ付ライター収納ケースを示す斜視図である。
【図９】内ケースにライターを収納していないときの図８におけるＣ−Ｃ線断面図である。
【図１０】内ケースにライターを収納したときの図８におけるＣ−Ｃ線断面図である。
【符号の説明】
【００３３】
１  吸い殻入れ付ライター収納ケース
２  外ケース
３  ライター
４  内ケース
５  上部開口部
６  側部開口部
７  左側壁
８  右側壁
９  後側壁
１０  底板
１１  蓋体
１２  ヒンジ
１３  開口部
１４  前側壁
１５  後側壁
１６  左側壁
１７  右側壁
１８  底板
１９  前側壁
２０  吸い殻入れ部
２１  係止部
２２  係止段部
２３  ガイド溝
２４  ガイド突状部
２５  ライター収納空間部
２６  保持部材
２７  第１保持片
２８  第２保持片
３０  吸い殻入れ付ライター収納ケース
３１  保持突起部
【図１】
2007024383.tif 000003
【図２】
2007024383.tif 000004
【図３】
2007024383.tif 000005
【図４】
2007024383.tif 000006
【図５】
2007024383.tif 000007
【図６】
2007024383.tif 000008
【図７】
2007024383.tif 000009
【図８】
2007024383.tif 000010
【図９】
2007024383.tif 000011
【図１０】
2007024383.tif 000012